【手続補正書】
【提出日】平成16年4月30日(2004.4.30)
【手続補正１】
【補正対象書類名】明細書
【補正対象項目名】発明の名称
【補正方法】変更
【補正の内容】
【発明の名称】音声符号化伝送方法及び音声符号化伝送装置
【手続補正２】
【補正対象書類名】明細書
【補正対象項目名】特許請求の範囲
【補正方法】変更
【補正の内容】
【特許請求の範囲】
【請求項１】
受信側の聴取条件に基づいて聴感上の再生品質を補償する音声符号化伝送方法であって、
符号化伝送すべき音声信号のスペクトル包絡を求め、
同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正し、
得られた新しいマスキング閾値を基に各周波数帯域に対するビット割当量の配分を減少するよう調整し、
調整されたビット割当量に基づいて各周波数帯域信号に対して所定の符号化アルゴリズムで符号化を行い、伝送することを特徴とする音声符号化伝送方法。
【請求項２】
受信側の聴取条件に基づいて聴感上の再生品質を補償する音声符号化伝送方法であって、
符号化伝送すべき音声信号のスペクトル包絡を求め、
同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正し、
得られた新しいマスキング閾値を基に各周波数帯域に対するビット割当量を、音声信号のＳＮ値が所定値以上となるよう変更し、
変更されたビット割当量に基づいて各周波数帯域信号に対して所定の符号化アルゴリズムで符号化を行い、伝送することを特徴とする音声符号化伝送方法。
【請求項３】
マスキング閾値の補正に際し、前記騒音スペクトル情報から得られるマスキングノイズを基に、マスキング閾値を調整することを特徴とする請求項１又は２記載の音声符号化伝送方法。
【請求項４】
マスキング閾値の補正に際し、前記聴力情報で得られる聴取者の周波数帯域毎の最小可聴値と臨界帯域幅を基に、マスキング閾値を調整することを特徴とする請求項１又は２記載の音声符号化伝送方法。
【請求項５】
受信側の聴取条件に基づいて聴感上の再生品質を補償する音声符号化伝送装置であって、
符号化伝送すべき音声信号のスペクトル包絡を求める周波数包絡演算手段と、
同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正するマスキング閾値決定手段と、
得られた新しいマスキング閾値を基に各周波数帯域に対するビット割当量の配分を減少するよう調整する適応ビット割当手段と、
調整されたビット割当量に基づいて各周波数帯域信号に対して所定の符号化アルゴリズムで符号化を行う符号化手段と、を備えたことを特徴とする音声符号化伝送装置。
【請求項６】
受信側の聴取条件に基づいて聴感上の再生品質を補償する音声符号化伝送装置であって、
符号化伝送すべき音声信号のスペクトル包絡を求める周波数包絡演算手段と、
同時マスキング効果によって前記スペクトル包絡に関するマスキング閾値を、聴取者の周囲における騒音特性に関する騒音スペクトル情報と前記聴取者の聴力特性に関する聴力情報の少なくとも１つ以上に基づいて補正するマスキング閾値決定手段と、
得られた新しいマスキング閾値を基に各周波数帯域に対するビット割当量を、音声信号のＳＮ値が所定値以上となるよう変更する適応ビット割当手段と、
変更されたビット割当量に基づいて各周波数帯域信号に対して所定の符号化アルゴリズムで符号化を行う符号化手段と、を備えたことを特徴とする音声符号化伝送装置。
【請求項７】
マスキング閾値の補正に際し、前記騒音スペクトル情報から得られるマスキングノイズを基に、マスキング閾値を調整することを特徴とする請求項５又は６記載の音声符号化伝送装置。
【請求項８】
マスキング閾値の補正に際し、前記聴力情報で得られる聴取者の周波数帯域毎の最小可聴値と臨界帯域幅を基に、マスキング閾値を調整することを特徴とする請求項５又は６記載の音声符号化伝送装置。
【手続補正３】
【補正対象書類名】明細書
【補正対象項目名】０００１
【補正方法】変更
【補正の内容】
【０００１】
【発明の属する技術分野】
本発明は伝送路を用いて音声信号を効率よく伝送する音声符号化伝送方法及び音声符号化伝送装置に関するものである。
【手続補正４】
【補正対象書類名】明細書
【補正対象項目名】０００７
【補正方法】変更
【補正の内容】
【０００７】
【課題を解決するための手段】
この課題を達成するために本願の請求項１記載の発明は、受信側の聴取条件に基づいて聴感上の再生品質を補償する音声符号化伝送方法であって、符号化伝送すべき音声信号のスペクトル包絡を求め、同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正し、得られた新しいマスキング閾値を基に各周波数帯域に対するビット割当量の配分を減少するよう調整し、調整されたビット割当量に基づいて各周波数帯域信号に対して所定の符号化アルゴリズムで符号化を行い、伝送することを特徴とするものであり、本願の請求項５記載の発明は、受信側の聴取条件に基づいて聴感上の再生品質を補償する音声符号化伝送装置であって、符号化伝送すべき音声信号のスペクトル包絡を求める周波数包絡演算手段と、同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正するマスキング閾値決定手段と、得られた新しいマスキング閾値を基に各周波数帯域に対するビット割当量の配分を減少するよう調整する適応ビット割当手段と、調整されたビット割当量に基づいて各周波数帯域信号に対して所定の符号化アルゴリズムで符号化を行う符号化手段と、を備えたことを特徴とするものである。
【手続補正５】
【補正対象書類名】明細書
【補正対象項目名】０００８
【補正方法】変更
【補正の内容】
【０００８】
また本願の請求項２記載の発明は、受信側の聴取条件に基づいて聴感上の再生品質を補償する音声符号化伝送方法であって、符号化伝送すべき音声信号のスペクトル包絡を求め、同時マスキング効果によって前記スペクトル包絡に関するマスキング閾値を、聴取者の周囲における騒音特性に関する騒音スペクトル情報と前記聴取者の聴力特性に関する聴力情報の少なくとも１つに基づいて補正し、得られた新しいマスキング閾値を基に各周波数帯域に対するビット割当量を、音声信号のＳＮ値が所定値以上となるよう変更し、変更されたビット割当量に基づいて各周波数帯域信号に対して所定の符号化アルゴリズムで符号化を行い、伝送することを特徴とするものであり、本願の請求項６記載の発明は、受信側の聴取条件に基づいて聴感上の再生品質を補償する音声符号化伝送装置であって、符号化伝送すべき音声信号のスペクトル包絡を求める周波数包絡演算手段と、同時マスキング効果によって前記スペクトル包絡に関するマスキング閾値を、聴取者の周囲における騒音特性に関する騒音スペクトル情報と前記聴取者の聴力特性に関する聴力情報の少なくとも１つ以上に基づいて補正するマスキング閾値決定手段と、得られた新しいマスキング閾値を基に各周波数帯域に対するビット割当量を、音声信号のＳＮ値が所定値以上となるよう変更する適応ビット割当手段と、変更されたビット割当量に基づいて各周波数帯域信号に対して所定の符号化アルゴリズムで符号化を行う符号化手段と、を備えたことを特徴とするものである。
【手続補正６】
【補正対象書類名】明細書
【補正対象項目名】０００９
【補正方法】変更
【補正の内容】
【０００９】
また本願の請求項３記載の発明は、請求項１又は２の音声符号化伝送方法において、マスキング閾値の補正に際し、前記騒音スペクトル情報から得られるマスキングノイズを基に、マスキング閾値を調整することを特徴とするものであり、また本願の請求項７記載の発明は、請求項５又は６の音声符号化伝送装置において、マスキング閾値の補正に際し、前記騒音スペクトル情報から得られるマスキングノイズを基に、マスキング閾値を調整することを特徴とするものである。
【手続補正７】
【補正対象書類名】明細書
【補正対象項目名】００１０
【補正方法】変更
【補正の内容】
【００１０】
また本願の請求項４記載の発明は、請求項１又は２の音声符号化伝送方法において、マスキング閾値の補正に際し、前記聴力情報で得られる聴取者の周波数帯域毎の最小可聴値と臨界帯域幅を基に、マスキング閾値を調整することを特徴とするものであり、また本願の請求項８記載の発明は、請求項５又は６の音声符号化伝送装置において、マスキング閾値の補正に際し、前記聴力情報で得られる聴取者の周波数帯域毎の最小可聴値と臨界帯域幅を基に、マスキング閾値を調整することを特徴とするものである。
【手続補正８】
【補正対象書類名】明細書
【補正対象項目名】００２７
【補正方法】変更
【補正の内容】
【００２７】
【発明の効果】
以上のように、請求項１〜８記載の発明によれば、受信側の周囲騒音の影響や受信側聴取者の聴力特性を考慮して全帯域の符号化データのビット数を制限することにより、符号化伝送する情報量を削減できる効果が得られる。
【手続補正９】
【補正対象書類名】明細書
【補正対象項目名】００２８
【補正方法】変更
【補正の内容】
【００２８】
また請求項２，３，４，６，７，８記載の発明によれば、受信側の周囲騒音の影響や聴取者の聴力特性を考慮して各帯域へのビット配分を変更することにより、聴感上の符号化再生品質を改善できるという効果が得られる。